(57)【特許請求の範囲】
【請求項１】
筒状の指嵌入部と、
前記指嵌入部に連続すると共に、徐々に先細になっていく先細推移部と、
前記先細推移部の先端側を閉じるように前記先細推移部に連続すると共に、略円錐状に尖った先端を有する先端部と、
を備え、
前記指嵌入部と前記先細推移部とは、柔軟な材質からなり、
前記先端部は、硬質の材質からなる
ことを特徴とする弦楽器演奏用の指カバー。
【請求項２】
前記指嵌入部と前記先細推移部とは、一体構造である
ことを特徴とする請求項１に記載の弦楽器演奏用の指カバー。
【請求項３】
前記先端部の高さは、前記指嵌入部及び前記先細推移部の合計高さの、３分の１〜１０分の１であることを特徴とする請求項１または２に記載の弦楽器演奏用の指カバー。
【請求項４】
前記先端部の高さは、前記指嵌入部及び前記先細推移部の合計高さの、５分の１〜６分の１である
ことを特徴とする請求項３に記載の弦楽器演奏用の指カバー。
【請求項５】
前記指嵌入部と前記先細推移部と前記先端部とは、共通の中心軸に対して軸対称である
ことを特徴とする請求項１乃至４のいずれか一項に記載の弦楽器演奏用の指カバー。
【請求項６】
前記指嵌入部の底面の中心軸に対して、前記先端部の中心軸がずれている
ことを特徴とする請求項１乃至４のいずれか一項に記載の弦楽器演奏用の指カバー。
【発明の詳細な説明】
【技術分野】
【０００１】
本発明は、弦楽器演奏用の指カバー、特には三線演奏用の指カバー、に関する。
【背景技術】
【０００２】
三線は、沖縄文化（琉球文化）を代表する弦楽器として広く知られており、棹（ソー：長細い棒状の部位）と胴（チーガ：太鼓状の部位）とからなる本体に、三本の弦が張設されていて、胴（チーガ）と三本の弦との間に駒（ウマ）が差し込まれた状態で、山羊や水牛の角等からなる爪・撥（チミ・バチ）を用いて弦がつま弾かれることで、演奏される。
【発明の概要】
【発明が解決しようとする課題】
【０００３】
前述の通り、三線は、山羊や水牛の角等からなる爪・撥（チミ・バチ）を用いて弦がつま弾かれることで、演奏される。爪・撥（チミ・バチ）を用いて弦をつま弾く操作は、爪・撥（チミ・バチ）の端縁を用いて弦をつま弾く操作である。
【０００４】
しかしながら、爪・撥（チミ・バチ）の端縁は、通常は直線状ないし弓状であるため、弦に対して「すべり」が生じてしまうことがある。そのような「すべり」が生じると、発音のタイミングがずれて、上手く楽曲を演奏することができない。
【０００５】
本発明は、以上のような問題点に着目し、これを有効に解決すべく創案されたものである。本発明の目的は、三線を容易に演奏できるような三線演奏用の指カバーを提供することである。また、三線用から発展して、一般の弦楽器に対しても容易に演奏できるような指カバーを提供することである。
【課題を解決するための手段】
【０００６】
本発明は、筒状の指嵌入部と、指嵌入部に連続すると共に、徐々に先細になっていく先細推移部と、先細推移部に連続すると共に、略円錐状に尖った先端を有する先端部と、を備えたことを特徴とする弦楽器演奏用の指カバーである。
【０００７】
本発明によれば、指嵌入部に演奏者が指を嵌め入れて、先端部の略円錐状に尖った先端によって弦をつま弾くことで、弦楽器を演奏することができる。先端部の先端が略円錐状に尖っていることにより、「線」でなく「点」において弦を捉えることができるため、弦に対する「すべり」の発生を顕著に低減することができ、弦楽器を極めて容易に演奏できる。
【０００８】
好ましくは、指嵌入部と先細推移部とは、柔軟な材質からなり、先端部は、硬質の材質からなる。指嵌入部と先細推移部とが柔軟な材質からなることで、装着した感じがソフトでタッチノイズを防止できる一方、先端部が硬質の材質からなることで、弦をしっかりつま弾くことができる。
【０００９】
指嵌入部と先細推移部とは、例えば、同一の材質から一体に形成され得る。もっとも、別々に構成されたものが接着等されてもよい。
【００１０】
また、好ましくは、先端部の高さは、指嵌入部及び先細推移部の合計高さの、３分の１〜１０分の１である。特に好ましくは、先端部の高さは、指嵌入部及び先細推移部の合計高さの、５分の１〜６分の１である。このようなバランスである時に、弦をつま弾く感覚が演奏者により好適に伝わる。
【００１１】
また、製造上、指嵌入部と先細推移部と先端部とが、共通の中心軸に対して軸対称であることが好ましい。しかしながら、指嵌入部の底面の中心軸に対して、先端部の中心軸がずれているような態様も、本発明の範囲内のものとして理解されるべきである。
【発明の効果】
【００１２】
本発明によれば、指嵌入部に演奏者が指を嵌め入れて、先端部の略円錐状に尖った先端によって弦をつま弾くことで、弦楽器を演奏することができる。先端部の先端が略円錐状に尖っていることにより、「線」でなく「点」において弦を捉えることができるため、弦に対する「すべり」の発生を顕著に低減することができ、弦楽器を極めて容易に演奏できる。
【図面の簡単な説明】
【００１３】
【図１】本発明の一実施の形態の指カバーの正面図、断面図及び平面図である。
【図２】図１の指カバーの使用状態を示す概略図である。
【図３】本発明の他の実施の形態の指カバーの正面図、断面図及び平面図である。
【発明を実施するための形態】
【００１４】
以下に、本発明に係る弦楽器演奏用の指カバーの実施の形態を、添付図面に基づいて詳述する。図１（ａ）は、本発明の一実施の形態の指カバー１０の正面図、図１（ｂ）は、図１（ａ）の指カバー１０の断面図、図１（ｃ）は、図１（ａ）の指カバー１０の平面図である。図２は、図１の指カバー１０の使用状態を示す概略図である。
【００１５】
本実施の形態の弦楽器演奏用の指カバー１０は、図１に示すように、筒状の指嵌入部１１と、指嵌入部１１に連続すると共に徐々に先細になっていく先細推移部１２と、先細推移部１２に連続すると共に略円錐状に尖った先端を有する先端部１３と、を備えており、全体的に弾丸のような形状を呈している。
【００１６】
指嵌入部１１と先細推移部１２とは、柔軟なゴムからなり、先端部１３は、硬質のプラスチックからなっている。本実施の形態では、指嵌入部１１と先細推移部１２とは、同一のゴム材料から一体的に機械加工によって形成されている。
【００１７】
図１に示すように、本実施の形態の指嵌入部１１は、円筒形状であり、内径が１６ｍｍ、外径が１８ｍｍ、高さが７ｍｍとなっている。本実施の形態の先細推移部１２は、円錐面よりも外側に凸に膨らんだ曲面形状となっていて、指嵌入部１１から滑らかに連続しており、高さは２２ｍｍとなっている。本実施の形態の先端部１３は、高さが５ｍｍであるが、その内の４ｍｍの部分は先細推移部１２に包囲されており、１ｍｍの部分だけが先端として露出している。露出している先端は、略円錐形である。
【００１８】
また、図１から明らかなように、指嵌入部１１と先細推移部１２と先端部１３とは、共通の中心軸に対して軸対称となっている。
【００１９】
次に、以上のような本実施の形態の作用について説明する。三線のような弦楽器を演奏する際に、演奏者が演奏側の手（例えば右手）の人差し指（親指を含む他の指でもよい）を指嵌入部１１に嵌め入れる。そして、図２に示すように、当該指の先端で弦をつま弾くような感覚で、本実施の形態の指カバー１０の先端部１３によって弦をつま弾くことにより、弦楽器を極めて容易に演奏できる。
【００２０】
本実施の形態によれば、先端部１３の先端が略円錐状に尖っていることにより、「線」でなく「点」において弦を捉えることができる。このため、弦に対する「すべり」の発生を顕著に低減することができ、三線のような弦楽器を極めて容易に演奏できる。
【００２１】
また、本実施の形態によれば、指嵌入部１１と先細推移部１２とが柔軟なゴムからなるため、装着した感じがソフトでタッチノイズを防止できる一方、先端部１３が硬質のプラスチックからなるため、弦をしっかりつま弾くことができ、耐久性も十分である。
【００２２】
また、本実施の形態によれば、先端部１３の高さが５ｍｍであり、指嵌入部１１及び先細推移部１２の合計高さは２９ｍｍであり、両者の比率は５：２９≒１：６である。本件発明者の検討によれば、この比率が、１：５〜１：６の範囲であるとき、弦をつま弾く感覚が演奏者により好適に伝わると言える。この比率が、１：３〜１：１０までなら、ある程度はそのような効果を期待できる。
【００２３】
なお、略円錐状に尖った先端とは、正確な円錐状に尖った先端の他に、本実施の形態の先細推移部１２のように円錐形よりも外側に凸に膨らんだ（円錐形より太った）形状の先端や、逆に、円錐形よりも内側に僅かに凹んだ（円錐形より痩せた）形状の先端をも含む表現である。
【００２４】
また、本実施の形態の指カバー１０は、指嵌入部１１と先細推移部１２と先端部１３とが、共通の中心軸に対して軸対称となっていた。このような形態は、製造が容易であるために、製造上は好ましい。
【００２５】
しかしながら、本発明は、このような形態に限定されない。例えば、指嵌入部１１’の底面の中心軸に対して、先端部１３’の中心軸がずれていてもよい。そのような形態の一例を図３に示す。図３（ａ）は、そのような実施の形態の指カバー１０’の正面図、図３（ｂ）は、図３（ａ）の指カバー１０’の断面図、図３（ｃ）は、図３（ａ）の指カバー１０’の平面図である。
【００２６】
このような実施の形態によっても、先端部１３’の先端が略円錐状に尖っていることにより、「線」でなく「点」において弦を捉えることができるため、弦に対する「すべり」の発生を顕著に低減することができ、三線のような弦楽器を極めて容易に演奏できる。
【００２７】
また、このような実施の形態によれば、嵌め入れた指（例えば人差し指）に対して指カバー１０’を回転させることによって、先端部１３’の先端の位置を当該指に対して可変にできる。これにより、例えば演奏者の好みに応じて先端部１３’の先端の位置を決めることができる。
【００２８】
先端部１３、１３’の材質は、硬質プラスチックの他に、アクリル、黒檀、べっ甲、シリコン等、種々の材質が採用され得る。
【００２９】
先端部１３、１３’のみが、先細推移部１２、１２’に対して、例えば嵌合式あるいはネジ式に取外可能に構成されることも可能である。その場合、各種の素材の先端部１３、１３’をオプションとして用意しておくことで、先端部の材質毎の音色の変化を楽しむこともできる。
【符号の説明】
【００３０】
１０、１０’  指カバー
１１、１１’  指嵌入部
１２、１２’  先細推移部
１３、１３’  先端部
【図１】
0006022150.tif 000002
【図２】
0006022150.tif 000003
【図３】
0006022150.tif 000004